(57)【要約】【課題】ボビン全体を取り替えることなく、極力少ない部品の変更で、様々な線材側の仕様変更に対応することができる巻線用ボビンを提供する。【解決手段】一側の鍔部１２と被嵌合部１７とを備えた第１の側部部材１１と、他側の鍔部２２と被嵌合部１７に着脱可能な嵌合部２６とを備えた第２の側部部材２１と、第１の側部部材１１と第２の側部部材２１との間に、そのどちらか若しくは両方が、一乃至複数個選択して配設可能な第１の中間部材３１および第２の中間部材４１とを備えている。第１の中間部材３１は、巻芯を構成する筒状部３５と、この筒状部３５よりも外方に延出する中間鍔部３２と、嵌合部３６と、被嵌合部３７とを備えると共に、第２の中間部材４１は、巻芯５を構成する筒状部４５と、嵌合部４６と、被嵌合部４７とを備えている。【選択図】図１
2008258239.tif 000002
【特許請求の範囲】
【請求項１】
線材が巻装される巻芯と、前記巻芯の一側と他側にそれぞれ設けられる鍔部とからなる巻線用ボビンにおいて、
前記一側の鍔部を備えると共に、被嵌合部とを備えた第１の側部部材と、
前記他側の鍔部を備えると共に、前記被嵌合部に着脱可能な嵌合部とを備えた第２の側部部材と、
前記第１の側部部材と前記第２の側部部材との間に、そのどちらか若しくは両方が、一乃至複数個選択して配設可能な第１の中間部材および第２の中間部材とを備え、
前記第１の中間部材は、前記巻芯を構成する筒状部と、この筒状部よりも外方に延出する中間鍔部と、前記嵌合部と、前記被嵌合部とを備えると共に、
前記第２の中間部材は、前記巻芯を構成する筒状部と、前記嵌合部と、前記被嵌合部とを備えることを特徴とする巻線用ボビン。
【請求項２】
前記第１の側部部材または第２の側部部材に、前記巻芯を構成する筒状部を備えたことを特徴とする請求項１記載の巻線用ボビン。
【請求項３】
前記第１の側部部材に、前記嵌合部を備えたことを特徴とする請求項１または２記載の巻線用ボビン。
【請求項４】
前記第２の側部部材に、前記被嵌合部を備えたことを特徴とする請求項１〜３の何れか一つに記載の巻線用ボビン。
【請求項５】
前記線材の端部と電気的に接続するリード部材を設けたことを特徴とする請求項１〜４の何れか一つに記載の巻線用ボビン。
【発明の詳細な説明】
【技術分野】
【０００１】
本発明は、一側の鍔部と他側の鍔部との間の巻芯に、線材が巻装される巻線用ボビンに関する。
【背景技術】
【０００２】
この種の巻線用ボビンとして、例えば特許文献１には、筒状をなす巻芯の両端に、この巻芯よりも外方に張り出した鍔部を設け、巻芯の中間に複数の中間鍔部としての仕切板を設けることで、隣り合う鍔部と仕切板との間と、隣り合う仕切板と仕切板との間に、それぞれ別々の線材を巻装できるようにしたものが開示されている。また、同様に仕切板を用いることで、一つの巻芯に複数の線材を分割して巻装できるようにした分割巻線用ボビンが、例えば特許文献２などに開示されている。
【０００３】
図８は、こうしたボビン１０１の一般的な構造を示している。同図において、ボビン１０１は、中空な円筒状または角筒状の巻芯１０２と、この巻芯１０２の両側に設けられる一側の鍔部１０３と他側の鍔部１０４と、各鍔部１０３，１０４の下部に設けられたリードピン１０６付きの台座部１０７と、により構成される。巻芯１０２には、ここには図示しない線材が巻装され、その端部が例えば半田付けなどにより、導電性のリードピン１０６に電気的に接続される。そして、巻芯１０２の途中に、特許文献１や特許文献２で示すような中間鍔部（仕切板）を設けることで、分割巻きにも対応することが可能である。
【特許文献１】特開平８−１７１６８号公報
【特許文献２】特開平７−１０６１７６号公報
【発明の開示】
【発明が解決しようとする課題】
【０００４】
上述した従来技術において、巻芯１０２に巻装される線材の線径や巻数などによっては、図８に示すボビン１０１では線材の全てを巻装できない場合が生じてくる。そうした場合、例えば図９に示すように、図８におけるボビン１０１よりも軸方向に長い巻芯１１２を有する別なボビン１１１を使用したり、或いは図１０に示すように、図８におけるボビン１０１よりも周方向に大きな鍔部１１３，１１４を有するボビン１２１を使用したりすることで、従来は対応してきた。しかし、線材の仕様変更に伴って、その都度ボビン全体を別なものと取り替えるのでは、製造工程における部品数の増加をもたらし、コスト低減の妨げとなる。
【０００５】
本発明は上記の各問題点に着目してなされたもので、ボビン全体を取り替えることなく、極力少ない部品の変更で、様々な線材側の仕様変更に対応することができる巻線用ボビンを提供することを、その目的とする。
【課題を解決するための手段】
【０００６】
本発明は、上記目的を達成するために、線材が巻装される巻芯と、前記巻芯の一側と他側にそれぞれ設けられる鍔部とからなる巻線用ボビンにおいて、前記一側の鍔部を備えると共に、被嵌合部とを備えた第１の側部部材と、前記他側の鍔部を備えると共に、前記被嵌合部に着脱可能な嵌合部とを備えた第２の側部部材と、前記第１の側部部材と前記第２の側部部材との間に、そのどちらか若しくは両方が、一乃至複数個選択して配設可能な第１の中間部材および第２の中間部材とを備え、前記第１の中間部材は、前記巻芯を構成する筒状部と、この筒状部よりも外方に延出する中間鍔部と、前記嵌合部と、前記被嵌合部とを備えると共に、前記第２の中間部材は、前記巻芯を構成する筒状部と、前記嵌合部と、前記被嵌合部とを備えている。
【０００７】
この場合、前記第１の側部部材または前記第２の側部部材に、前記巻芯を構成する筒状部を備えたるのが好ましい。
【０００８】
また、前記第１の側部部材に前記嵌合部を備えたり、前記第２の側部部材に前記被嵌合部を備えたりするのが好ましい。
【０００９】
さらに、前記線材の端部と電気的に接続するリード部材を設けるのが好ましい。
【発明の効果】
【００１０】
請求項１の発明によれば、第１の側部部材と第２側部部材を巻線用ボビンの両側に配置して、その間に嵌合部と被嵌合部との着脱構造を利用して、第１の中間部材および第２の中間部材のどちらか若しくは両方を、一乃至複数個組み合わせることができる。この場合、第１の中間部材および第２の中間部材の筒状部が、最終的な巻線用ボビンの巻芯をなすと共に、第１の中間部材の中間鍔部が、線材を分割巻きする際の仕切板として機能する。したがって、巻線用ボビン全体を取り替えなくても、第１の中間部材および第２の中間部材の組み合わせ個数を適宜変えるだけで、分割巻きに適合する形状にするか否かを含めて、様々な線材側の仕様変更に対応した巻線用ボビンを提供できる。
【００１１】
請求項２の発明によれば、第１の側部部材または第２の側部部材にも、第１の中間部材や第２の中間部材と同様の筒状部が設けられるので、この筒状部を巻線用ボビンの巻芯の一部として利用できる。
【００１２】
請求項３の発明によれば、第１の側部部材にも、被嵌合部に着脱可能な嵌合部を設けることで、この第１の側部部材を、第１の中間部材と同様の鍔付きの中間部材として利用できる。
【００１３】
請求項４の発明によれば、第２の側部部材にも、嵌合部が着脱できる被嵌合部を設けることで、この第２の側部部材を、第１の中間部材と同様の鍔付きの中間部材として利用できる。
【００１４】
請求項５の発明によれば、巻線用ボビンにリード部材を設けることで、巻芯に巻装した一乃至複数の線材の端部をリード部材に接続して、例えば基板などの他の電子機構部品との安定的な接続構造を実現することができる。
【発明を実施するための最良の形態】
【００１５】
以下、本発明における巻線用ボビンの好ましい一実施形態について、添付図面を参照しながら詳細に説明する。
【００１６】
図１は、本実施例における巻線用ボビンで使用する各部品を個々に示したものである。同図において、１１は、完成した巻線用ボビン１〜５（図３〜図７参照）の一側部をなす第１の側部部材であり、これは円環状に形成された一側の鍔部１２と、この鍔部１２の下方に設けられるリードピン１３付きの台座部１４と、を備えて構成される。また２１は、完成した巻線用ボビン１〜５の他側部をなす第２の側部部材であり、これは円環状に形成された他側の鍔部２２と、この鍔部２２の下方に設けられるリードピン２３付きの台座部２４と、鍔部２２の一側から延びる中空の筒状部２５と、を備えて構成される。一側の鍔部１２の中央には、その周縁を凹凸状に形成した孔が被嵌合部１７として形成されており、またこの被嵌合部１７に着脱できる形状で、筒状部２５の先端には環状の嵌合部２６が形成される。さらに好ましくは、第２の側部部材２１にも、他側の鍔部２２の中央に、その周縁を凹凸状に形成した孔が被嵌合部２７として形成される。この被嵌合部２７は、前記一側の鍔部１２に形成した被嵌合部１７と同一形状を有している。
【００１７】
上記第１の側部部材１１や第２の側部部材２１とは別に、本実施例では完成した様々な形態の巻線用ボビン１〜５を得るために、第１の中間部材３１と第４の中間部材４１が用意される。第１の中間部材３１は、第２の側部部材２１からリードピン２３付きの台座部２４を取り除いた形状に等しい。すなわち第１の中間部材３１は、他側の鍔部２２に対応する円環状の中間鍔部３２と、当該中間鍔部３２の一側から延びる中空の筒状部３５と、を備えており、被嵌合部１７，２７に着脱できる形状で、筒状部３５の先端には環状の嵌合部３６が形成されると共に、中間鍔部３２の中央には、その周縁を凹凸状に形成した孔が被嵌合部３７として形成される。
【００１８】
一方、第２の中間部材４１は、中空の筒状部４５の先端に環状の嵌合部４６を形成する一方で、この筒状部４５の基端には、その周縁を凹凸状に形成した孔が被嵌合部４７として形成される。嵌合部４６は、被嵌合部１７，２７，３７に着脱できるように、他の嵌合部２６，３６と同一形状を有し、また被嵌合部４７も、他の被嵌合部１７，２７，３７と同一形状を有している。したがって、図１に示す第１の側部部材１１，第２の側部部材２１，第１の中間部材３１，および第２の中間部材４１は、嵌合部２６，３６，４６と被嵌合部１７，２７，３７，４７との間の嵌合により、互いに連結できるようになっている。
【００１９】
なお、一側の鍔部１２と他側の鍔部２２は例えば角形環状であってもよく、また各鍔部１２，２２が同一形状である必要はない。また、各筒状部２５，３５，４５は、図１に示す例では同一形状となっているが、これもそれぞれ別な形状であっても構わない。本実施例では、第１の側部部材１１にリードピン１３付きの台座部１４を設け、第２の側部部材２１にこれと同一または別な形状のリードピン２３付きの台座部２４を設けているが、こうしたリードピン付きの台座部を第１の中間部材３１にも設けたり（その場合、第１の中間部材３１は第２の側部部材２１と実質的に同一部品となる）、第１の中間部材３１だけにリードピン付きの台座部を設けたりしてもよい。また、それぞれの台座部１４，２４に設けられるリードピン１３，２３の数は、特に限定されない。
【００２０】
前記第１の側部部材１１を構成する台座部１４の下面には、後述する完成した巻線用ボビン１〜５に巻回される線材（図示せず）と、同じく台座部１４の下面に設けられるリードピン１３との間に位置して、絶縁部材からなるバリア１８が突出して設けられる。また、これと同様のバリア２８が、第２の側部部材２１を構成する台座部２４の下面にも突出して設けられる。これらのバリア１８，２８は、何れもリードピン１３，２３と、巻線用ボビン１〜５に巻回される線材との間の沿面距離を確保するためのものである。
【００２１】
図２は、第２の中間部材４１を嵌合部４６側から見た図である。完成した巻線用ボビン１〜５に巻回される線材と、この巻線用ボビン１〜５に装着されるコア（図示せず）との沿面距離を確保するために、円環状に形成された嵌合部４６の端縁４９は、凹凸状に形成される。なお、同様の凹凸部は、嵌合部４６の端縁４９だけでなく、他の嵌合部２６，３６にも設けられる。
【００２２】
次に、完成した巻線用ボビン１〜５の様々な形態を図３〜図７に示す。これらの各図における巻線用ボビン１〜５は、何れも図１に示す第１の側部部材１１，第２の側部部材２１，第１の中間部材３１，および第２の中間部材４１の全てまたは何れかを一乃至複数組み合わせて得られたものである。但し、どの例でも、完成した巻線用ボビン１〜５の一側には第１の側部部材１１を用い、他側には第２の側部部材２１を用いている点は、共通している。
【００２３】
図３に示す巻線用ボビン１は、第１の側部部材１１と第２の側部部材２１との間に、第１の中間部材３１と第２の中間部材４１を一つずつ用いて、それぞれを嵌合させている。ここでは、軸方向に並んだ筒状部３５，４５，２５が、巻線用ボビン１の巻芯５５を構成している。巻芯５５の途中には、仕切板に相当する中間鍔部３２が設けられており、この中間鍔部３２によって、それぞれ一乃至複数種の線材（図示せず）を分割して巻装することができる。また、筒状部３５に巻装した第１の線材の端部を、半田付けなどによりリードピン１３に接続し、筒状部４５，２５に巻装した第２の線材の端部を、同じく半田付けなどによりリードピン２３に接続できる。各リードピン１３，２３は、例えばプリント基板（図示せず）に設けたスルーホールに挿通され、そこで当該スルーホールと半田付け接続されることにより、巻線用ボビン１とプリント基板との安定的な連結が図られる。
【００２４】
図４に示す巻線用ボビン２は、第１の側部部材１１と第２の側部部材２１との間に、第２の中間部材４１を２個並べて嵌合させている。ここでは、軸方向に並んだ筒状部４５，４５，２５が、巻線用ボビン２の巻芯６５を構成している。また巻芯６５の途中には、仕切板に相当する部材が存在せず、一側の鍔部１２と他側の鍔部２２との間に、一乃至復数種の線材（図示せず）を共通して巻装することができる。ここでも、筒状部４５，４５，２５に巻装した線材の端部を、半田付けなどによりに接続できる。
【００２５】
図５に示す巻線用ボビン３は、第１の側部部材１１と第２の側部部材２１との間に、第１の中間部材３１を２個並べて嵌合させている。ここでは、軸方向に並んだ筒状部３５，３５，２５が、巻線用ボビン３の巻芯７５を構成している。また巻芯７５の途中には、仕切板に相当する２つの中間鍔部３２，３２が設けられており、この中間鍔部３２，３２によって、それぞれ一乃至複数種の線材（図示せず）を分割して巻装することができる。そして、一側の鍔部１２と中間鍔部３２との間にある筒状部３５に第１の線材を巻装し、中間鍔部３２，３２との間にある筒状部３５に第２の線材を巻装し、中間鍔部３２と他側の鍔部２２との間にある筒状部２５に第３の線材を巻装すると共に、リードピン１３，２３を利用して、こうした線材の端部を半田付け接続することができる。
【００２６】
このように、図４や図５に示すように、第１の中間部材３１または第２の中間部材４１のいずれか一方だけを、第１の側部部材１１と第２の側部部材２１との間に介在させることも可能である。
【００２７】
図６に示す巻線用ボビン４は、第１の側部部材１１と第２の側部部材２１との間に、第２の中間部材４１と、第１の中間部材３１と、第２の中間部材４１とを順に嵌合させている。ここでは、軸方向に並んだ筒状部４５，３５，４５，２５が、巻線用ボビン４の巻芯８５を構成している。巻芯８５の途中には、仕切板に相当する中間鍔部３２が設けられており、この中間鍔部３２によって、それぞれ一乃至複数種の線材（図示せず）を分割して巻装することができる。また、筒状部４５，３５に巻装した第１の線材の端部を、半田付けなどによりリードピン１３に接続し、筒状部４５，２５に巻装した第２の線材の端部を、同じく半田付けなどによりリードピン２３に接続できる。
【００２８】
つまり、この図６に示す巻線用ボビン４は、図３に示す巻線用ボビン１に比べて、第１の線材を巻装する巻幅が筒状部４５の分だけ増加している。このように、第２の中間部材４１を増減させることで、仕切板に相当する中間鍔部３２の個数を変えることなく、巻芯８５の軸方向の幅である巻幅を簡単に可変することができる。
【００２９】
図７に示す巻線用ボビン５は、前記図６に示す巻線用ボビン４の第１の中間部材３１を、第２の側部部材２１に置き換えたものである。ここでは、軸方向に並んだ筒状部４５，２５，４５，２５が、巻線用ボビン４の巻芯９５を構成している。巻芯９５の途中には、仕切板に相当する他側の鍔部２２が設けられており、この他側の鍔部２２によって、それぞれ一乃至複数種の線材（図示せず）を分割して巻装することができる。しかも、この仕切板に相当する他側の鍔部２２は、リードピン２３付きの台座部２４を設けており、ここに一側の鍔部１２と他側の鍔部２２との間にある筒状部４５，３５に巻装した第１の線材の端部や、他側の鍔部２２，２２の間にある筒状部４５，２５に巻装した第２の線材の端部を、半田付けなどにより接続することができる。
【００３０】
なお、図７に示すように、第１の中間部材３１や第２の中間部材４１と同様に、第２の側部部材２１を中間に介在させるには、前述したように嵌合部２６のみならず被嵌合部２７を第２の側部部材２１に形成させることが必要である。こうすれば、第２の側部部材２１を、第１の中間部材３１と同様の鍔付きの中間部材として利用することができる。
【００３１】
その他、図３〜図７に示す以外にも、第１の側部部材１１と第２の側部部材２１との間に、第１の中間部材３１や、第２の中間部材４１や、第２の側部部材２１の何れかまたは全てを、一乃至複数選択して重ね合わせることにより、様々な形態の巻線用ボビンを得ることができるのは言うまでもない。
【００３２】
このように、本実施例においては、線材が巻装される巻芯５５，６５，７５，８５，９５と、巻芯５５，６５，７５，８５，９５の一側と他側にそれぞれ設けられる鍔部１２，２２とからなる巻線用ボビン１，２，３，４，５において、一側の鍔部１２を備えると共に、被嵌合部１７とを備えた第１の側部部材１１と、他側の鍔部２２を備えると共に、被嵌合部１７に着脱可能な嵌合部２６とを備えた第２の側部部材２１と、第１の側部部材１１と第２の側部部材２１との間に、そのどちらか若しくは両方が、一乃至複数個選択して配設可能な第１の中間部材３１および第２の中間部材４１とを備え、第１の中間部材３１は、巻芯５５，７５，８５を構成する筒状部３５と、この筒状部３５よりも外方に延出する中間鍔部３２と、嵌合部３６と、被嵌合部３７とを備えると共に、第２の中間部材４１は、巻芯５５，６５，８５，９５を構成する筒状部４５と、嵌合部４６と、被嵌合部４７とを備えている。
【００３３】
こうすると、第１の側部部材１１と第２側部部材２１を巻線用ボビンの両側に配置して、その間に嵌合部２６，３６，４６と被嵌合部１７，３７，４７との着脱構造を利用して、第１の中間部材３１および第２の中間部材４１のどちらか若しくは両方を、一乃至複数個組み合わせることができる。この場合、第１の中間部材３１および第２の中間部材４１の筒状部３５，４５が、最終的な巻線用ボビン１，２，３，４，５の巻芯５５，６５，７５，８５，９５をなすと共に、第１の中間部材３１の中間鍔部３２が、線材を分割巻きする際の仕切板として機能する。したがって、巻線用ボビン１，２，３，４，５の全体を取り替えなくても、第１の中間部材３１および第２の中間部材４１の組み合わせ個数を適宜変えるだけで、分割巻きに適合する形状にするか否かを含めて、様々な線材側の仕様変更に対応した巻線用ボビン１，２，３，４，５を提供できる。
【００３４】
また本実施例では、第２の側部部材２１に、巻芯５５，６５，７５，８５，９５の一部を構成する筒状部２５を備えているが、こうした筒状部を第１の側部部材１１に備えてもよい。少なくとも第１の側部部材１１または第２の側部部材２１に筒状部２５を設けてあれば、第１の側部部材１１や第２の側部部材２１にも、第１の中間部材３１や第２の中間部材４１と同様の筒状部２５が設けられることになるので、この筒状部２５を巻線用ボビン１，２，３，４，５の巻芯５５，６５，７５，８５，９５の一部として利用できる。
【００３５】
本実施例では、第２の側部部材２１に、嵌合部２６だけでなく被嵌合部２７を備えている。このように、第２の側部部材２１にも、別な部材の嵌合部２６，３６，４６が着脱できる被嵌合部２７を設けることで、この第２の側部部材２１を、第１の中間部材３１と同様の鍔付きの中間部材として利用できる。
【００３６】
同様の目的で、ここには図示していないが、第１の側部部材１１に、被嵌合部１７だけでなく嵌合部を備えてもよい。つまり第１の側部部材１１にも、別な部材の被嵌合部１７，２７，３７，４７に着脱可能な嵌合部を設けることで、この第１の側部部材１１を、第１の中間部材と同様の鍔付きの中間部材として利用できる。
【００３７】
さらに本実施例において、線材の端部と電気的に接続するリード部材としてのリードピン１３，２３を、第１の側部部材１１，第２の側部部材２１，第１の中間部材３１，第２の中間部材４１の何れかまたは全てに設けるのが好ましい。
【００３８】
巻線用ボビン１，２，３，４，５にリードピン１３，２３を設けることで、巻芯５５，６５，７５，８５，９５に巻装した一乃至複数の線材の端部をリードピン１３，２３に接続して、例えば基板などの他の電子機構部品との安定的な接続構造を実現することができる。
【００３９】
なお、本発明は上記実施例に限定されるものではなく、本発明の要旨の範囲において種々の変形実施が可能である。図１に示す各部材１１，２１，３１，４１の形状はあくまでも一例に過ぎず、本発明の主旨を逸脱しない範囲内で適宜変更が可能である。
【図面の簡単な説明】
【００４０】
【図１】本発明の一実施形態におけるボビンの分解正面図である。
【図２】同上、第２の中間部材の左側面図である。
【図３】図１に示す各部材を組み合わせて構成される完成したボビンの正面図である。
【図４】同上、別な完成したボビンの正面図である。
【図５】同上、別な完成したボビンの正面図である。
【図６】同上、別な完成したボビンの正面図である。
【図７】同上、別な完成したボビンの正面図である。
【図８】従来例におけるボビンの一般的な構造を示す正面図である。
【図９】線材の巻数が不足する場合に、図７におけるボビンに代わって使用される別なボビンの正面図である。
【図１０】図８とはさらに別なボビンの正面図である。
【符号の説明】
【００４１】
１，２，３，４，５  巻線用ボビン
１１  第１の側部部材
１２  一側の鍔部
１３，２３  リードピン
２２  他側の鍔部
１７，２７，３７，４７  被嵌合部
２１  第２の側部部材
２５，３５，４５  筒状部
２６，３６，４６  嵌合部
３１  第１の中間部材
３２  中間鍔部
４１  第２の中間部材
５５，６５，７５，８５，９５  巻芯
【図１】
2008258239.tif 000003
【図２】
2008258239.tif 000004
【図３】
2008258239.tif 000005
【図４】
2008258239.tif 000006
【図５】
2008258239.tif 000007
【図６】
2008258239.tif 000008
【図７】
2008258239.tif 000009
【図８】
2008258239.tif 000010
【図９】
2008258239.tif 000011
【図１０】
2008258239.tif 000012